(57)【要約】      （修正有）【課題】発光モジュールの交換、修理に便利なＬＥＤ霧灯を提供する。【解決手段】自動車アクセサリ上に取り付けられるランプケーシング２と、発光ユニット３と、導光ユニット４とを含むＬＥＤ霧灯であって、ランプケーシングは凹所２１２を備えるハウジング部２１を包括し、凹所がリア開口部２１４を有し、ハウジング部はリア開口部に向かって突出する係止円環壁２１５を備える。発光ユニットは、取り外しできるようにランプケーシングの係止円環壁上に取り付けられた放熱ホルダ３１と、放熱ホルダ上に取り付けられ、少なくとも１個の発光ダイオードを有する発光モジュール３３とを包括する。導光ユニットは凹所内に取り付けられ、発光ダイオードの前方に位置すると共に光が透過して霧灯の光の形を形成させるレンズホルダ４３を包括する。【選択図】図２
0003203318.tif 000002
【実用新案登録請求の範囲】
【請求項１】
自動車アクセサリ上に取り付けられることができ、
自動車アクセサリに取り付けられたハウジング部と、前記ハウジング部の前方に位置するカバー部とを包括し、前記ハウジング部が凹所を備え、前記凹所がリア開口部を有し、また前記ハウジング部が前記リア開口部から突出する係止円環壁を更に備え、前記係止円環壁は少なくとも１個の係止切欠部を有するランプケーシングと、
取り外しできるように前記ランプケーシング上に取り付けられた放熱ホルダと、前記放熱ホルダ上に取り付けられた発光モジュールとを包括し、前記放熱ホルダは前記リア開口部から前記凹所内に延入する取付部を備え、前記取付部が少なくとも１個の前記係止切欠部を貫通した後前記係止円環壁と係止できる係止ブロックを有し、前記発光モジュールは前記取付部上に取り付けられ、また少なくとも１個の発光ダイオードを有する発光ユニットと、
前記凹所内に取り付けられ、前記発光ダイオードの前方に位置すると共に光が透過して霧灯の光の形を形成させるレンズホルダを包括する導光ユニットと、
を含むことを特徴とする修理に便利なＬＥＤ霧灯。
【請求項２】
前記放熱ホルダは、前記凹所から突出する数枚の放熱フィンと、前記放熱フィンのうちの２枚から後方に突出する２枚の回転握り突板とを更に備えることを特徴とする請求項１に記載の修理に便利なＬＥＤ霧灯。
【請求項３】
前記放熱ホルダは、前記取付部から半径方向外端に向けて突出し、且つ前記ランプケーシングの前記係止円環壁の後方に当接する突環部と、前記突環部と前記放熱フィンの間に介在する環状溝とを更に備え、前記発光ユニットが、前記環状溝上に取り付けられ、前記ランプケーシングの前記係止円環壁の後方に当接できる防水ワッシャーを更に含むことを特徴とする請求項２に記載の修理に便利なＬＥＤ霧灯。
【請求項４】
前記ランプケーシングの該ハウジング部は、前記凹所を定義するハウジング壁と、前記ハウジング壁から突出して前記自動車アクセサリ上に結合できる複数の固定突起ブロックとを更に備えることを特徴とする請求項３に記載の修理に便利なＬＥＤ霧灯。
【請求項５】
前記発光モジュールは、２個の前記発光ダイオードと、前記発光ダイオードと電気的に接続する回路基板とを備えることを特徴とする請求項１乃至４のいずれか一項に記載の修理に便利なＬＥＤ霧灯。
【請求項６】
前記ランプケーシングの前記係止円環壁は、幅が異なる複数の前記係止切欠部を有し、前記放熱ホルダが幅を各係止切欠部に合わせる前記係止ブロックを備えることを特徴とする請求項１乃至４のいずれか一項に記載の修理に便利なＬＥＤ霧灯。
【請求項７】
前記導光ユニットは、前記凹所内に取り付けられた遮光ホルダを更に含み、前記遮光ホルダが前記レンズホルダを突出させるための貫通穴を有することを特徴とする請求項１乃至４のいずれか一項に記載の修理に便利なＬＥＤ霧灯。
【考案の詳細な説明】
【技術分野】
【０００１】
本考案は、車両用灯具に関し、特に、車両の前方に取り付けられるのに適し、運転中の安全性を高め、修理に便利なＬＥＤ霧灯に関する。
【背景技術】
【０００２】
一般車両は、前部に霧灯が取り付けられて、霧や雨など、視界が悪い時、霧灯から発した集中且つ高輝度の光を介して運転中の安全性を高める。従来の霧灯は、通常自動車のバンパー上に取り付けることができる電球ソケットを含み、該電球ソケットが放熱フィンを設けた放熱部と、該放熱部から前方に向かって突出するケーシング部とを備え、該放熱部及び該ケーシング部の間に開口部が前方に向かう凹所を定義する。該霧灯は、該凹所の底部に取り付けられている発光部材と、該ケーシング部の前方に取り付けられると共に該凹所を閉鎖する透明なカバーと、該発光部材の前方に位置する遮光板とを更に含む。前記遮光板は主に該発光部材を補助し、該発光部材から発した光を霧灯の光の形に適させる。
【０００３】
長年に渡り、従来の霧灯は、１つの完全な構造体として組み立ててから後部から前部へ該バンパーの外側に近い位置に取り付けられる。該霧灯の発光部材が損傷した時、バンパーを取り外してから霧灯全体を取り出すと共に新しい霧灯に交換する必要がある。その後、該バンパーを自動車上に取り付けると、霧灯の交換作業を終えることができる。
【０００４】
従来の霧灯の発光部材の材料コストは高くはないが、該発光部材が損傷した時、バンパーの取り外しや取り付け並びに霧灯全体を交換する必要があるため、その交換コストは非常に高い。従来の霧灯は、単独で発光部材を交換することが難しく、且つ交換時、該バンパーを取り外す必要があるため、交換コストが非常に高いことで、運転者が大金を払って発光できない霧灯を交換しようとしないことにより、運転中の安全性における隠れた災禍が起きてしまう。
【考案の概要】
【考案が解決しようとする課題】
【０００５】
そこで、本考案は、上記従来技術の問題点に鑑み、交換コストを削減し、また部材の交換便利性を高めることができる修理に便利なＬＥＤ霧灯を提供することを目的とする。
【課題を解決するための手段】
【０００６】
上記目的を達成するため、本考案に係るＬＥＤ霧灯は、自動車アクセサリ上に取り付けられることができるランプケーシングと、発光ユニットと導光ユニットとを含む。該ランプケーシングは凹所を備えるハウジング部と、該ハウジング部の前方に位置するカバー部とを包括する。該凹所はリア開口部を有し、また該ハウジング部が該リア開口部に向かって突出する係止円環壁を更に備え、該係止円環壁は少なくとも１個の係止切欠部を有する。該発光ユニットは、取り外しできるように該ランプケーシング上に取り付けられた放熱ホルダと、該放熱ホルダ上に取り付けられた発光モジュールとを包括する。該放熱ホルダは、該リア開口部から該凹所内に延入する取付部を備え、該取付部が少なくとも１個の該係止切欠部を貫通した後該係止円環壁と係止できる係止ブロックを有する。該発光モジュールは該取付部上に取り付けられ、また少なくとも１個の発光ダイオードを有し、該導光ユニットが該凹所内に取り付けられ、該発光ダイオードの前方に位置すると共に光が透過して霧灯の光の形を形成させるレンズホルダを包括する。
【考案の効果】
【０００７】
本考案の有益な効果は、前記構成部材の組立が交換コストを削減すると共に部材の交換時の利便性を高めるため、簡単な操作を通じて該発光ユニットを取り外しや取り付けることができ、また単独で該発光モジュールを交換できることである。
【図面の簡単な説明】
【０００８】
以下に、本考案の他の技術的特徴及びその効果は、図面の実施形態内で明確に表示される。
【図１】本考案に係るＬＥＤ霧灯の一実施例の立体分解図である。
【図２】該ＬＥＤ霧灯が自動車アクセサリ上に取り付けられた様子を説明するための該実施例の組立断面図である。
【図３】該ＬＥＤ霧灯のランプケーシング及び発光ユニットの相対関係を説明するための該実施例の未完全正面分解図である。
【図４】図３に類似する正面組立図で、図内の該発光ユニットがすでに該ランプケーシングと結合済みのものである。
【考案を実施するための形態】
【０００９】
図１乃至図４を参照すると、本考案に係るＬＥＤ霧灯の一実施例は自動車アクセサリ１上に取り付けられ、本実施例において、該自動車アクセサリ１がバンパーとする。該ＬＥＤ霧灯は、該自動車アクセサリ１上に取り付けられたランプケーシング２と、取り外しできるように該ランプケーシング２上に取り付けられた発光ユニット３と、該ランプケーシング２内部に取り付けられた導光ユニット４とを含む。
【００１０】
該ランプケーシング２は、該自動車アクセサリ１上に取り付けられたハウジング部２１と該ハウジング部２１の前方に位置するカバー部２２とを包括する。該ハウジング部２１は、中心軸を取り囲んで設けられた円錐形ハウジング壁２１１と該ハウジング壁２１１で定義する凹所２１２とを備え、該凹所２１２が、該カバー部２２に近いフロント開口部２１３と該フロント開口部２１３と間隔を置いたリア開口部２１４を有する。該ハウジング部２１は、該ハウジング壁２１１から該リア開口部２１４に向かって突出する係止円環壁２１５と、該ハウジング壁２１１から該凹所２１２内に向かって突出する支持板２１６と、組立穴を有する２本の突起棒２１７と、該ハウジング壁２１１から外方に向かって突出し、また該自動車アクセサリ１上に取り付けられることができる複数の固定突起ブロック２１８とを更に備える。該係止円環壁２１５は、該中心軸を取り囲む複数の係止切欠部２１９を有し、前記係止切欠部２１９が等角度に設けられるが異なる幅を有する。
【００１１】
該発光ユニット３は、取り外し可能にするよう該ランプケーシング２のハウジング部２１上に取り付けられた放熱ホルダ３１と、該放熱ホルダ３１と該係止円環壁２１５の間に当接挟持される防水ワッシャー３２と、該放熱ホルダ３１上に取り付けられ且つ該凹所２１２に向く発光モジュール３３とを包括する。該放熱ホルダ３１は、該リア開口部２１４から該凹所２１２内に延入する取付部３１１と、該取付部３１１から半径方向外端に向けて突出する突環部３１２と、該突環部３１２から後方に突出する数枚の放熱フィン３１３と、該突環部３１２とそれら放熱フィン３１３の間に介在する環状溝３１４と、それら放熱フィン３１３のうちの２枚から後方に突出する２枚の回転握り突板３１５とを備える。つまりそれら放熱フィン３１３及びそれら回転握り突板３１５が該凹所２１２の外部に位置する。該取付部３１１は、前方に向かう取付面３１６と、半径方向外端に向かって突出し且つ各々それら係止切欠部２１９に対応する複数の係止ブロック３１７と、少なくとも１個の前後方向に貫通する電線穴３１８とを備える。
【００１２】
該防水ワッシャー３２は、該放熱ホルダ３１の環状溝３１４内に嵌着され、該ランプケーシング２の該係止円環壁２１５後端面に当接する当接環面３２１を有する。該発光モジュール３３は、回路基板３３１と、回路基板３３１と電気的に接続するように該回路基板３３１上に実装される２個の発光ダイオード３３２とを備える。該回路基板３３１に接続する電線（図示せず）が、該電線穴３１８から通し、前記発光ダイオード３３２が少なくとも１個とすることができる。
【００１３】
該導光ユニット４は、それら発光ダイオード３３２から発せられた光源を霧灯の光の形に変換できる。本実施例において、該導光ユニット４は、該ランプケーシング２の該凹所２１２内に取り付けられた遮光ホルダ４１と、２本の固定具４２を通じて該ランプケーシング２の突起棒２１７と支持板２１６の間に結合するレンズホルダ４３とを包括する。該レンズホルダ４３は、それら発光ダイオード３３２の真正面に位置し、また該遮光ホルダ４１の貫通穴４１１に延入でき、それら発光ダイオード３３２から発せられた光を透過して霧灯の光の形を形成させることを目的とする。
【００１４】
本実施例の該ＬＥＤ霧灯が取り付けられた時、該導光ユニット４の遮光ホルダ４１及びレンズホルダ４３は、該ランプケーシング２のハウジング部２１上に取り付けられ、また該ハウジング部２１の凹所２１２内に位置し、該カバー部２２が該ハウジング部２１のフロント開口部２１３上に結合される。一方では、該発光モジュール３３は、該放熱ホルダ３１の取付面３１６上に取り付けられ、該防水ワッシャー３２が該放熱ホルダ３１の環状溝３１４に嵌着される。前記構成部材が組み立てられた後完全且つ独立した該発光ユニット３を形成する。
【００１５】
次に、該放熱ホルダ３１のそれら係止ブロック３１７を各々該ランプケーシング２のそれら係止切欠部２１９に対応させ、前記係止切欠部２１９の幅が異なり、且つそれら係止ブロック３１７の幅も異なり、また個別の係止切欠部２１９と各々合わせるため、本実施例の取り付け時、該発光ユニット３の取り付け角度を制限でき、それら発光ダイオード３３２が取り付けられた後、正確に該導光ユニット４に対応させることができる。該放熱ホルダ３１のそれら係止ブロック３１７は、該ランプケーシング２のそれら係止切欠部２１９内に各々入ってから、１つの取り付け方向に向かって該発光ユニット３を回すと、それら係止ブロック３１７を利用して該ランプケーシング２の該係止円環壁２１５と係合して安定な結合の目的を達成できる。取り付けた後、該防水ワッシャー３２は該ランプケーシング２と該放熱ホルダ３１の間に当接挟持され、該発光モジュール３３が該導光ユニット４の該レンズホルダ４３の真裏面に位置し、発した光が該レンズホルダ４３を透過して霧灯の光の形を形成する。
【００１６】
該ＬＥＤ霧灯のそれら発光ダイオード３３２或いは発光モジュール３３全体が損傷した時、操作者は、手を自動車アクセサリ１後方の空間に差し入れ、且つ手で該放熱ホルダ３１のそれら回転握り突板３１５を握り、そして該取付部方向と逆の方向に該放熱ホルダ３１を回すと、気軽に発光ユニット３全体を取り外して、該発光モジュール３３又はそれら発光ダイオード３３２を交換できる。取り付け後、更に該発光ユニット３を後ろから前に向かって該ランプケーシング２上に取り付け、また該取り付け方向に沿って該発光ユニット３を回すと、気軽に該発光ユニット３を該ランプケーシング２の後方に取り付けることができる。
【産業上の利用可能性】
【００１７】
以上の説明からも分かるように、本考案に係る該ＬＥＤ霧灯は、構造が新規なだけでなく、該発光モジュール３３或いはそれら発光ダイオード３３２が損傷した時、簡単な回転操作を通じて、該発光モジュール３３或いはそれら発光ダイオード３３２の交換作業を行うことができ、交換時、該ＬＥＤ霧灯その他の構成部材を全く取り外す必要が無く、また該自動車アクセサリ１及び該自動車アクセサリ１上から該ＬＥＤ霧灯を取り外す必要も無いため、本考案の交換時非常に便利である。該発光モジュール３３のコストは、ＬＥＤ霧灯全体の非常に小さな部分のみを占めるため、本考案は交換コストを削減する効果も有する。
【００１８】
以上に述べたものは、本考案の実施例であって、本考案の実施範囲はこのような実施例のみに限定されるべきものではなく、本考案の実用新案登録請求の範囲及び明細書内容に基づき、行う種々の修正及び変更は、均しく本考案のカバーする範囲に属する。
【符号の説明】
【００１９】
１      自動車アクセサリ
２      ランプケーシング
２１    ハウジング部
２１１  ハウジング壁
２１２  凹所
２１３  フロント開口部
２１４  リア開口部
２１５  係止円環壁
２１６  支持板 
２１７  突起棒
２１８  固定突起ブロック
２１９  係止切欠部
２２    カバー部
３      発光ユニット
３１    放熱ホルダ
３１１  取付部
３１２  突環部
３１３  放熱フィン
３１４  環状溝
３１５  回転握り突板
３１６  取付面
３１７  係止ブロック
３１８  電線穴
３２    防水ワッシャー
３２１  当接環面
３３    発光モジュール
３３１  回路基板
３３２  発光ダイオード
４      導光ユニット
４１    遮光ホルダ
４１１  貫通穴
４２    固定具
４３    レンズホルダ
【図１】
0003203318.tif 000003
【図２】
0003203318.tif 000004
【図３】
0003203318.tif 000005
【図４】
0003203318.tif 000006